(57)【要約】      （修正有）【課題】折畳鋸の鋸刃の取り付けにおいて、使用時の切断作動による、鋸刃の曲がりや振れを抑え、作業中の鋸刃掛止外れを防止し、安全性を高めた折畳鋸刃ダブル固着構造を提供する。【解決手段】折畳鋸１に用いる鋸柄２の先端に鋸刃係止枠板３を設け、その鋸刃係止枠板の前方肩部に、鋸刃４の後部に設ける掛止溝５と合致する掛止溝ガイド枠６を設け、鋸刃を鋸刃係止枠板に締着ネジで締着し、鋸刃係止枠板の肩部に逆凹状鋸刃固定枠８を固定軸９で軸着し、その逆凹状鋸刃固定枠の前底部内側に掛止ピン１０を架設し、前記固定軸の後部に板バネ１１を取り付け、そのネジ孔にスプリング１３を巻着した鋸刃固定ネジ１４を螺入し、逆凹状鋸刃固定枠の内側となるネジ先端にカシメネジ１５を取り付け、鋸刃を伸張すると板バネの弾発力で掛止ピンが掛止溝に掛着して鋸刃を定着し、さらに、鋸刃固定ネジの螺着により鋸刃を圧着する。【選択図】図２
2005119254.tif 000002
【特許請求の範囲】
【請求項１】
折畳鋸に用いる鋸柄の先端に鋸刃係止枠板を設け、その鋸刃係止枠板の前方肩部に、鋸刃の後部に設ける掛止溝と合致する掛止溝ガイド枠を設け、鋸刃を鋸刃係止枠板に締着ネジで締着し、鋸刃係止枠板の肩部に逆凹状鋸刃固定枠を固定軸で軸着し、その逆凹状鋸刃固定枠の前底部内側に掛止ピンを架設し、前記固定軸の後部に板バネを取り付け、逆凹状鋸刃固定枠の上面後方にネジ孔をあけ、そのネジ孔にスプリングを巻着した鋸刃固定ネジを螺入し、逆凹状鋸刃固定枠の内側となるネジ先端にカシメネジを取り付け、鋸刃を伸張すると板バネの弾発力で掛止ピンが掛止溝に掛着して鋸刃を定着し、さらに、鋸刃固定ネジの螺着により鋸刃を圧着し、鋸使用時の切断作動による鋸刃の曲がりや振れを抑え、作業中の鋸刃掛止外れを防止したことを特徴とする折畳鋸刃ダブル固着構造。
【請求項２】
前記逆凹状鋸刃固定枠の後方側面に突起部を設け、鋸刃係止枠板の一方側面に略三角形のフックレバーを設け、折畳鋸刃を伸張して所定位置に定着した後、フックレバーを突起部に押止して逆凹状鋸刃固定枠を圧着する請求項１記載の折畳鋸刃ダブル固着構造。
【請求項３】
前記逆凹状鋸刃固定枠の後方にボタン孔をあけ、スプリングを内蔵し下端に返し部を設けたプッシュボタンをボタン孔に嵌着し、その下部となる逆凹状鋸刃固定枠の内側に、放射線状にカットしたプッシュボタン嵌着部を設け、プッシュボタンが挿脱自在にとなり、プッシュボタンの押圧で下端が鋸刃を圧着する請求項１記載の折畳鋸刃ダブル固着構造。
【請求項４】
前記逆凹状鋸刃固定枠の後方に任意形状の差込孔を設け、鋸柄の先端となる鋸刃係止枠板の一方側面にスライド板を設け、折畳鋸刃を伸張して掛止ピンが所定位置に定着した後、スライド板を指でスライドして差込孔に挿入し、逆凹状鋸刃固定枠を押止する請求項１記載の折畳鋸刃ダブル固着構造。
【請求項５】
前記鋸柄の前方肩部にスライド板を設け、鋸刃係止枠板の肩部に取り付けた逆凹状鋸刃固定枠の内部に板バネを設け、その板バネの間にスライド板が挿着できるようにし、スライド板を指でスライドして挿入し、逆凹状鋸刃固定枠を押止する請求項１記載の折畳鋸刃ダブル固着構造。
【発明の詳細な説明】
【発明の詳細な説明】
【技術分野】
【０００１】  本発明は、折畳鋸の鋸刃を安全固着できる折畳鋸刃ダブル固着構造に関する。
【背景技術】
【０００２】  従来、折畳鋸の鋸刃に掛止溝を設け、その掛止溝に掛止させて鋸刃を伸張させていたものがあった。
【発明が解決しようとする課題】
【０００３】  従来から折畳鋸の鋸刃に掛止溝を設け、その掛止溝に逆凹状鋸刃固定枠の一辺や掛止ピンで、掛止させて鋸刃を伸張定着させていたが、鋸使用時の切断作動で鋸刃の曲がりや振れとともに、鋸刃の掛止外れが生じる危険な問題があった。
【０００４】  本発明は、折畳鋸の鋸刃の取り付けにおいて、使用時の切断作動による、鋸刃の曲がりや振れを抑え、作業中の鋸刃掛止外れを防止でき、安全性を高めた折畳鋸刃ダブル固着構造の提供を目的とするものである。
【課題を解決するための手段】
【０００５】  前記の課題を達成するため、折畳鋸に用いる鋸柄の先端に鋸刃係止枠板を設け、その鋸刃係止枠板の前方肩部に、鋸刃の後部に設ける掛止溝と合致する掛止溝ガイド枠を設け、鋸刃を鋸刃係止枠板に締着ネジで締着し、鋸刃係止枠板の肩部に逆凹状鋸刃固定枠を固定軸で軸着し、その逆凹状鋸刃固定枠の前底部内側に掛止ピンを架設し、前記固定軸の後部に板バネを取り付け、逆凹状鋸刃固定枠の上面後方にネジ孔をあけ、そのネジ孔にスプリングを巻着した鋸刃固定ネジを螺入し、逆凹状鋸刃固定枠の内側となるネジ先端にカシメネジを取り付け、鋸刃を伸張すると板バネの弾発力で掛止ピンが掛止溝に掛着して鋸刃を定着し、さらに、鋸刃固定ネジの螺着により鋸刃を圧着し、鋸使用時の切断作動による鋸刃の曲がりや振れを抑え、作業中の鋸刃掛止外れを防止した手段を講じている。
【０００６】  また、逆凹状鋸刃固定枠の後方側面に突起部を設け、鋸刃係止枠板の一方側面に略三角形のフックレバーを設け、折畳鋸刃を伸張して所定位置に定着した後、フックレバーを突起部に押止して逆凹状鋸刃固定枠を締着することが好ましい。
【０００７】  また、逆凹状鋸刃固定枠の後方にボタン孔をあけ、スプリングを内蔵し下端に返し部を設けたプッシュボタンをボタン孔に嵌着し、その下部となる逆凹状鋸刃固定枠の内側に、放射線状にカットしたプッシュボタン嵌着部を設け、プッシュボタンが挿脱自在にとなり、プッシュボタンの押圧で下端が鋸刃を圧着させてもよい。
【０００８】  また、逆凹状鋸刃固定枠の後方に任意形状の差込孔を設け、鋸柄の先端となる鋸刃係止枠板の一方側面にスライド板を設け、折畳鋸刃を伸張して所定位置に定着した後、スライド板を指でスライドして差込孔に挿着し、逆凹状鋸刃固定枠を押圧することが好ましい。
【０００９】  さらに、鋸柄の前方肩部にスライド板を設け、鋸刃係止枠板の肩部に取り付けた逆凹状鋸刃固定枠の内部に板バネを設け、その板バネの間にスライド板が挿着できるようにし、スライド板を指でスライドして挿入し、逆凹状鋸刃固定枠を押止してもよい。
【発明を実施するための最良の形態】
【００１０】  発明の実施の形態を実施例にもとづき図面を参照して説明する。
図１〜図２に示す実施例では、折畳鋸１に用いる鋸柄２の先端に鋸刃係止枠板３を設け、その鋸刃係止枠板３の前方肩部に、鋸刃４の後部に設ける掛止溝５と合致する掛止溝ガイド枠６を設け、鋸刃４を鋸刃係止枠板３に締着ネジで締着し、鋸刃係止枠板３の肩部に逆凹状鋸刃固定枠７を固定軸８で軸着し、その逆凹状鋸刃固定枠７の前底部内側に掛止ピン９を架設し、前記固定軸８の後部に板バネ１０を取り付け、逆凹状鋸刃固定枠７の上面後方にネジ孔１１をあけ、そのネジ孔１１にスプリング１２を巻着した鋸刃固定ネジ１３を螺入し、逆凹状鋸刃固定枠７の内惻となるネジ先端にカシメネジ１４を取り付け、鋸刃４を伸張すると板バネ１０の弾発力で掛止ピン９が掛止溝５に掛着して鋸刃４を定着し、さらに、鋸刃固定ネジ１３の螺着により鋸刃４を圧着し、鋸使用時の切断作動による鋸刃４の曲がりや振れを抑え、作業中の鋸刃掛止外れを防止している。【００１１】  また、図３に示す実施例では、逆凹状鋸刃固定枠７の後方側面に突起部１５を設け、鋸刃係止枠板３の一方側面に略三角形のフックレバー１６を設け、折畳鋸刃を伸張して所定位置に定着した後、フックレバー１６を突起部１５に押止して逆凹状鋸刃固定枠７を圧着するようにしている。【００１２】  また、図４〜図５に示す実施例では、逆凹状鋸刃固定枠７の後方にボタン孔１７をあけ、スプリング１２を内設し、下端に返し部１８を設けたプッシュボタン１９をボタン孔１７に嵌着し、その下部となる逆凹状鋸刃固定枠７の内側に、放射線状にカットしたプッシュボタン嵌着部２０を設け、プッシュボタン１９が挿脱自在にとなり、プッシュボタン１９の押圧で下端が鋸刃４を圧着できるようにした。【００１３】  さらに、図６に示す実施例では、逆凹状鋸刃固定枠７の後方に任意形状の差込孔２１を設け、鋸柄２の先端となる鋸刃係止枠板３の一方側面にスライド板２２を設け、折畳鋸刃を伸張して掛止溝５に掛止ピン９を掛着した後、スライド板２２を指でスライドして差込孔２１に挿入固着できる。【００１４】  そして、図７に示す実施例では、鋸柄２の前方肩部にスライド板２２を設け、鋸刃係止枠板３の肩部に取り付けた逆凹状鋸刃固定枠７の内部に板バネ１０を設け、その板バネ１０の間にスライド板２２が挿着できるようにし、スライド板２２を指でスライドして挿入し、逆凹状鋸刃固定枠７を押止するようにしている。
【発明の効果】
【００１５】  本発明の折畳鋸刃ダブル固着構造は、折畳鋸の使用時において、切断作動による鋸刃の曲がりや振れを無くし、作業中の鋸刃掛止外れによる危険性を防ぐものとして有用である。
【図面の簡単な説明】
【図１】  本発明の実施例を示す斜視図である。
【図２】  本発明の逆凹状鋸刃固定枠の要部実施例を示す透視側面図である。
【図３】  本発明の第２実施例を示す側面図である。
【図４】  本発明の第３実施例を示す透視側面図である。
【図５】  本発明の第３実施例を示す平面図である。
【図６】  本発明の第４実施例を示す透視側面図である。
【図７】  本発明の第５実施例を示す透視側面図である。
【符号の説明】
１  折畳鋸
２  鋸柄
３  鋸刃係止枠板
４  鋸刃
５  掛止溝
６  掛止溝ガイド枠
７  締着ネジ
８  逆凹状鋸刃固定枠
９  固定軸
１０  掛止ピン
１１  板バネ
１２  ネジ孔
１３  スプリング
１４  鋸刃固定ネジ
１５  カシメネジ
１６  突起部
１７  フックレバー
１８  ボタン孔
１９  返し部
２０  プッシュボタン
２１  プッシュボタン嵌着部
２２  差込孔
２３  スライド板
【図１】
2005119254.tif 000003
【図２】
2005119254.tif 000004
【図３】
2005119254.tif 000005
【図４】
2005119254.tif 000006
【図５】
2005119254.tif 000007
【図６】
2005119254.tif 000008
【図７】
2005119254.tif 000009